(57)【要約】  【課題】  床パネルの端付近を穿孔する時に格子梁が傷付きにくく、鍔部が衝撃などによって破損しにくい床パネルを提供する。  【解決手段】  本発明の床パネル１０は、平板状の平板部３０と、平板部３０の下側に設けられる格子梁３１とを有し、平板部３０の縁付近には、格子梁３１よりも外側に位置する鍔部３３が設けられている。そして、鍔部３３の厚みは、平板部３０の鍔部３３よりも内側の部分である内側部３４の厚みよりも厚い。そして、床パネル１０と支持部材１１とを用いて床支持構造を形成することができる。【選択図】  図１
2006336315.tif 000002
【特許請求の範囲】
【請求項１】
構造物上に配置される支持部材によって支持されて、構造物との間に空間を有する床支持構造を形成することができる床パネルにおいて、
平板状の平板部と、平板部の下側に格子状に形成される格子梁とを有し、平板部の縁付近には、格子梁よりも外側に位置する鍔部が設けられており、鍔部の厚みは、平板部の鍔部よりも内側の部分である内側部の厚みよりも厚いものであることを特徴とする床パネル。
【請求項２】
鍔部の厚みは、内側部の厚みに対して１１０％以上の厚みであって、かつ、２ｍｍ以上１０ｍｍ以下であることを特徴とする請求項１に記載の床パネル。
【請求項３】
熱可塑性樹脂と充填材とからなる床パネルにおいて、充填材が２０ｖｏｌ％以上添加されていることを特徴とする請求項１又は２に記載の床パネル。
【発明の詳細な説明】
【技術分野】
【０００１】
本発明は、構造物上に配置される支持部材によって支持されて用いられる床パネルに関するものであり、また、この床パネルを用いた床支持構造に関するものである。
【背景技術】
【０００２】
床下に電線や管を設置する場合、床を２重構造として、上下の床の間に電線や管を設置することが行われている。このような、２重構造の床の形成はパーティクルボードを用いて形成する方法があるが、他の方法として、床パネルを用いる方法がある。
【０００３】
この床パネルを用いる方法では、所定の形状である定形の床パネルと、床パネルを支持する支持部材を複数用意し、本来の床面（コンクリートスラブなど）の上に支持部材を載置して、さらに支持部材の上に床パネルを載せて２重構造の床を形成する。そして、床パネルの形状は正方形状のものが用いられている。
そして、このような技術は特許文献１などに記載されている。
【０００４】
通常、支持部材は、床パネルの４ヵ所の角に配置し、必要に応じて他の部分に配置されており、床パネルのいずれの位置に荷重がかかっても支えられるようにしている。
また、床パネル同士の相対移動を阻止する必要があるので、支持部材に突起などの係止部を複数設け、同じ支持部材によって隣接する床パネルを連結している。
【特許文献１】特開２００１−３０３７５７号公報
【発明の開示】
【発明が解決しようとする課題】
【０００５】
床パネルは、床上の荷重を受けるので所定の強度が必要である。板状の床パネルを用いた場合、厚い方が強度が高く撓みにくくなるが床パネルが重くなってしまう。そのため、下側に突出する格子状の梁を設けた形状として、強度の維持と軽量化を図っている。そして、格子梁の間に形成される空間に前記した支持部材の突起を挿入している。
【０００６】
格子梁を設けた床パネルの高さ調整を行う場合などには、設置状態で床パネルの隙間から工具などを挿入して行うことがある。しかし、この隙間から高さ調節をすることができない場合などには、床パネルの縁付近を穿孔する場合がある。
【０００７】
格子梁が床パネルの縁にあると、穿孔の際に格子梁が削れてしまい、強度が低下するおそれがあるので、平板部には格子梁の外側となる位置に鍔部を設け、床パネルの縁を穿孔する場合にも格子梁が傷付かないようにしている。
ところが、この鍔部は格子梁の外側に位置しているので、搬送時などに衝撃を受けて破損しやすい。
【０００８】
そこで、本発明は、端付近を穿孔する時に格子梁が傷付きにくく、鍔部が衝撃などによって破損しにくい床パネルを提供することを課題とする。
【課題を解決するための手段】
【０００９】
そして、上記した目的を達成するための請求項１に記載の発明は、構造物上に配置される支持部材によって支持されて、構造物との間に空間を有する床支持構造を形成することができる床パネルにおいて、平板状の平板部と、平板部の下側に格子状に形成される格子梁とを有し、平板部の縁付近には、格子梁よりも外側に位置する鍔部が設けられており、鍔部の厚みは、平板部の鍔部よりも内側の部分である内側部の厚みよりも厚いものであることを特徴とする床パネルである。
【００１０】
請求項１に記載の発明によれば、平板状の平板部と、平板部の下側に格子状に形成される格子梁とを有し、平板部の縁付近には、格子梁よりも外側に位置する鍔部が設けられているので、床パネルの端付近を穿孔する時に格子梁が傷付きにくく、また、鍔部の厚みは、平板部の鍔部よりも内側の部分である内側部の厚みよりも厚いものであるので、鍔部が衝撃などによって破損しにくい。
【００１１】
請求項２に記載の発明は、鍔部の厚みは、内側部の厚みに対して１１０％以上の厚みであって、かつ、２ｍｍ以上１０ｍｍ以下であることを特徴とする請求項１に記載の床パネルである。
ここで、鍔部や内側部の厚みが場所によって一定で無い場合には、鍔部の厚みや内側部の厚みは一番薄い部分の厚みを指す。
【００１２】
請求項２に記載の発明によれば、鍔部の厚みは、内側部の厚みに対して１１０％以上の厚みであって、かつ、２ｍｍ以上１０ｍｍ以下であるので、鍔部が衝撃などによって特に破損しにくい。
【００１３】
また、熱可塑性樹脂と充填材とからなる床パネルにおいて、充填材が２０ｖｏｌ％以上添加されている材料を用いることができる（請求項３）。
【００１４】
さらに、構造物上に支持部材を配置し、床パネルを支持部材によって支持して、床支持構造を形成することができる。
【００１５】
そして、支持部材は突起部を有するものであり、前記突起部を格子梁によって形成される空間に挿入しながら支持することもできる。かかる場合には突起部によって床パネル同士を連結することができる。
【発明の効果】
【００１６】
本発明の床パネルによれば、鍔部が衝撃などによって破損しにくく、端付近を穿孔する時にも格子梁が傷付きにくい。
【発明を実施するための最良の形態】
【００１７】
以下さらに本発明の具体的実施例について説明する。
図１は、本発明の第１の実施形態の床パネル及び支持部材を上から見た斜視図である。図２は、本発明の第１の実施形態の床パネルを下から見た斜視図である。図３は、本発明の第１の実施形態の床パネルの断面の模式図である。図４は、本発明の第１の実施形態の床パネルを用いた床支持構造を上側から見た図である。図５は、本発明の第１の実施形態の床パネルを用いた床支持構造の一部分を上側から見た図である。図６及び図７は、本発明の第１の実施形態の床パネルを用いた床支持構造の一部分を横から見た図である。図８は、支持部材の斜視図である。図９は、支持部材の分解斜視図である。
【００１８】
本発明の第１の実施形態の床パネル１０は、図１、図２に示されるように、平板部３０と格子梁３１とが設けられている。平板部３０は正方形の平板状であり、格子梁３１は平板部３０の下側に設けられており、床パネル１０を使用する場合には、平板部３０が上側に格子梁３１が下側となるように設置される。
【００１９】
格子梁３１は、図２に示されるように、互いに直交するように２方向に延びるように設けられており、それぞれの方向のものが複数有している。また、格子梁３１の延びる方向は、平板部３０の正方形の辺と同じ方向であり、格子梁３１は平板部３０の全体に設けられている。
【００２０】
格子梁３１の一番外側に位置する部分である最外梁部３１ａは、４辺に設けられ、外形が平板部３０よりもやや小さい正方形状であり、平板部３０の辺付近に位置している。そして、平板部３０の端と最外梁部３１ａとの間には、鍔部３３が設けられている。そして、鍔部３３は、平板部３０の４辺全てに設けられている。
【００２１】
平板部３０の厚みは、最外梁部３１ａを境界として厚みが異なっている。そして、図３に示されるように、最外梁部３１ａの外側に位置している鍔部３３の厚みＴ１は、最外梁部３１ａの内側に位置している内側部３４の厚みＴ２よりも厚い。
【００２２】
本実施形態の鍔部３３の厚みＴ１は、いずれの場所においてもほぼ同じであり、６．５ｍｍである。また、内側部３４の厚みＴ２はいずれの位置においてもほぼ同じであって、５．５ｍｍである。したがって、鍔部３３の厚みＴ１は内側部３４の厚みＴ２よりも厚く、内側部３４の厚みＴ２に対する鍔部３３の厚みＴ１は１１８％であり、１１０％以上である。
【００２３】
鍔部３３の厚みＴ１の値が２ｍｍ以下であると、成形時にかかる部分の充填が不十分となるおそれがあり、また、衝撃などにより破損しやすい。鍔部３３の厚みＴ１の値が１０ｍｍ以上であると、連続で床パネル１０を成形する場合に冷却のための時間がかかって成形サイクルが長くなって生産効率が低下し、１個の床パネル１０に使用される樹脂の量が多くなってコストが高くなり、また、鍔部３３を穿孔する際に、作業を行いにくい。したがって、鍔部３３の厚みＴ１は２ｍｍ以上、１０ｍｍ以下の範囲が望ましい。
なお、本実施形態の床パネル１０では、鍔部３３及び内側部３４は、位置によって厚みに差が無いが、厚さが場所によって異なるものでもよい。この場合、上記割合を算出するための値は、一番薄い部分の値が用いられる。
【００２４】
また、鍔部３３の幅Ｗは、図３に示されるように、平板部３０と最外梁部３１ａの外側との間の距離である。そして、この鍔部３３の幅Ｗに対する鍔部３３の厚みＴ１は、７５％以上が望ましく、衝撃による破損が発生しにくい。
【００２５】
格子梁３１の最外梁部３１ａよりも外側には、補強部３５が設けられている。補強部３５は、鍔部３３と最外梁部３１ａとをつなぐように設けられている。また、補強部３５の位置は、図２に示されるように、最外梁部３１ａの内側の格子梁３１の位置に対応して設けられている。
【００２６】
床パネル１０は、平板部３０が上側に、格子梁３１が下側になるような状態、すなわち、図１に示されるような状態で用いられ、床パネル１０の下側（格子梁３１側）に支持部材１１が配置される。
床パネル１０の下側には、図２に示されるように、格子梁３１の間に形成される空間３２が位置している。この空間３２の形状は角柱状であり、上下方向の長さは支持部材１１の突起部２５の長さより長く、空間３２に突起部２５を挿入できる。
また、格子梁３１の最下端の位置は同じ高さである。
【００２７】
格子梁３１によって形成される空間３２の形状は、正方形状の角付近と、辺付近と、中央付近とでは、それぞれ異なっており、それぞれ空間３２ａ、３２ｂ、３２ｃが形成されている。
【００２８】
角付近の空間３２ａは、格子梁３１の２方向の内幅がそれぞれ支持部材１１の突起部２５の幅Ｌ１にほぼ等しく、１個の突起部２５のみを挿入することができる。
辺付近の空間３２ｂは、格子梁３１の一方の内幅が、突起部２５の幅Ｌ１にほぼ等しく、他方の内幅が突起部２５の外側の幅Ｌ２に等しく、２個の突起部２５を挿入することができる。
中央付近の３２ｃは、格子梁３１の２方向の内幅がそれぞれ突起部２５の外側の幅Ｌ２に等しく、４個の突起部２５を挿入することができる。
【００２９】
床パネル１０を、角や辺を近づけるように並べると、角付近や辺付近の空間３２ａ、３２ｂ同士が接近する。そして、隣接する２以上の床パネル１０の角付近や辺付近の空間３２ａ、３２ｂに、同じ支持部材１１の突起部２５を挿入することが可能となり、床パネル１０同士を連結することができる。
【００３０】
床パネル１０は、樹脂に充填材を添加したものを用いて成形したものである。この成形は、金型に樹脂を充填して行われる。
床パネル１０に用いられる樹脂は、どのような種類のものを用いても良く、また、一度使用された廃プラスチックをリサイクルした材料を用いることができる。また、充填材として、例えば、木粉や、フライアッシュと呼ばれる石炭灰を用いることができ、このような充填材を添加したものを用いることができる。本実施形態の床パネル１０は、熱可塑性樹脂の廃プラスチックを６０％、充填材を４０％で配合したものが用いられており、充填材は２０％以上配合したものが望ましい。
床パネル１０に添加される充填材が２０％より少ないと、材料の剛性が小さくなる。そのため、床パネル１０の使用時などの変形を低減させるために平板部３０や格子梁３１を厚くする必要があり、かかる場合に、連続で成形する場合に冷却のための時間がかかって成形サイクルが長くなって生産効率が低下し、１個の床パネル１０に使用される樹脂の量が多くなって、コストが高くなる。
【００３１】
本実施形態の床パネル１０を用いて床支持構造１を形成する場合には、図４〜図７に示されるように、支持部材１１が用いられ、また、床パネル１０及び支持部材１１は複数ものが使用される。
そして、支持部材１１は図６、図７に示すように、構造物９０上に載置されており、床パネル１０は支持部材１１によって支えられている。そして、構造物９０と床パネル１０との間に空間９１が形成される。この空間９１に配線や配管を行い、床上に露出する線や管を最小限の長さにすることができる。
【００３２】
構造物９０は上側がほぼ水平な平面状であり、コンクリート構造物の床スラブなどである。構造物９０は、支持部材１１を置くことができればどのようなものであってもよい。
また、床支持構造１の上側には、図７に示されるように、フローリング材などの床材９２が配置される。
【００３３】
そして、図４に示されるように、床パネル１０は設置領域９３の全域に設置される。設置領域９３は構造物９０の所定の領域であり、複数の床パネル１０は設置領域９３を覆った状態となる。この設置領域９３は、設置される場所により大きさや形状がことなるものであるが、本実施形態の設置領域９３は長方形状であり、床パネル１０は縦横に並べられている。
【００３４】
支持部材１１は、図８、図９に示されるように、支持板２０、長さ調整部２１及び土台部２３により構成されている。
そして、支持板２０と土台部２３との間に長さ調整部２１が配置され、長さ調整部２１によって支持部材１１の高さを変えることが可能となっている。
【００３５】
支持板２０は樹脂製の部材であり、角板部２４と突起部２５とが設けられている。角板部２４は、正方形の板状であり中央に貫通孔４０が設けられている。
突起部２５は、四角柱状であり、その幅Ｌ１は縦方向及び横方向が等しい。また、突起部２５の上部２５ａは平面状である。
【００３６】
支持板２０は、図８、図９に示されるように、角板部２４の４つのすべての角に、４個の同じ形状の突起部２５が配置し、突起部２５の幅Ｌ１や、突起部２５同士の外側の幅Ｌ２は同じである。
【００３７】
長さ調整部２１は、支持ナット４１と支持ボルト４２からなっている。支持ナット４１及び支持ボルト４２には、それぞれフランジ部４１ａ、４２ａが設けられている。支持ナット４１は支持ボルト４２に螺合することができ、支持ボルト４２を回転させることにより、フランジ部４１ａ、４２ａ同士の距離を変えることができる。
【００３８】
土台部２３は、例えば、円錐台状の防振ゴムであり、中央に穴部４３が設けられている。
そして、土台部２３の穴部４３に支持ボルト４２を挿入して、土台部２３の上部にフランジ部４２ａが接触するようにする。また、支持板２０の貫通孔４０に支持ナット４１を挿入し、支持板２０の下側にフランジ部４１ａが接触するようにする。
【００３９】
本実施形態の床支持構造１では、支持部材１１を構造物９０上に置き、さらに、支持部材１１の上に床パネル１０が載せられて支持されている。
床パネル１０を支持する場合には、床パネル１０の下側の空間３２に支持部材１１の突起部２５を挿入し、床パネル１０と支持部材１１とがずれないようにしており、さらに、同じ支持部材１１の突起部２５を、隣り合う別の複数の床パネル１０の空間３２に挿入して、隣り合う床パネル１０を連結している。
【００４０】
また、支持部材１１は、図４に示すように、それぞれの床パネル１０の角付近に配置されており、いずれの位置に荷重がかかっても支えることができるようになっている。なお、必要に応じて床パネル１０の角の位置以外（辺付近、中央付近）に支持部材１１を配置して支えるようにしても良い。
【００４１】
図４、図５に示すように、床パネル１０が設置された状態で、床パネル１０同士に少し隙間５０を設けて設置されており、支持部材１１は、図１のように、床パネル１０の角付近に設置される。そのため、支持部材１１は、中央付近の上側は床パネル１０が覆われないので、床パネル１０の設置後に、上から工具などを挿入して、支持ボルト４２や支持ナット４１を回転させて高さ調整することができる。なお、他の位置の支持部材１１については、床パネル１０の、支持部材１１の中央付近に対応する位置に穿孔して貫通孔を形成して、かかる貫通孔に工具などを挿入して高さ調整が行われる。
本実施形態の床パネル１０では、鍔部３３が設けられているので、その部分を穿孔することにより、格子梁３１を傷つけることなく穿孔することができる。
【００４２】
床支持構造１の設置は、支持部材１１を構造物９０上に置きながら、その上に床パネル１０を載せて行われる。
【００４３】
そして、床支持構造１が完成し、床パネル１０と構造物９０との間に空間９１が形成される。なお、隣接する床パネル１０同士の間に、隙間５０が設けられており、床支持構造１の使用時に床パネル１０同士の接触を防ぐことにより、音の発生などを防止することができる。
【００４４】
以上のように、本実施形態の床パネル１０は、端付近を穿孔する場合でも格子梁３１を傷付けることがなく、鍔部３３が内側部３４よりも厚いので、衝撃などによって破損しにくい。
【図面の簡単な説明】
【００４５】
【図１】本発明の第１の実施形態の床パネル及び支持部材を上から見た斜視図である。
【図２】本発明の第１の実施形態の床パネルを下から見た斜視図である。
【図３】本発明の第１の実施形態の床パネルの断面の模式図である。
【図４】本発明の第１の実施形態の床パネルを用いた床支持構造を上側から見た図である。
【図５】本発明の第１の実施形態の床パネルを用いた床支持構造の一部分を上側から見た図である。
【図６】本発明の第１の実施形態の床パネルを用いた床支持構造の一部分を横から見た図である。
【図７】本発明の第１の実施形態の床パネルを用いた床支持構造の一部分を横から見た図である。
【図８】支持部材の斜視図である。
【図９】支持部材の分解斜視図である。
【符号の説明】
【００４６】
１    床支持構造
１０  床パネル
１１  支持部材
２５  突起部
３１  格子梁
３１ａ  最外梁部
３２  空間
３３  鍔部
３４  内側部
９０  構造物
９１  空間
Ｔ１  厚み
Ｔ２  厚み
【図１】
2006336315.tif 000003
【図２】
2006336315.tif 000004
【図３】
2006336315.tif 000005
【図４】
2006336315.tif 000006
【図５】
2006336315.tif 000007
【図６】
2006336315.tif 000008
【図７】
2006336315.tif 000009
【図８】
2006336315.tif 000010
【図９】
2006336315.tif 000011